(57)【要約】  本発明は、医療分野の疾病防止領域に属する過敏性呼吸道疾病の防止方法及びその方法を実現する口鼻マスクである。即ち、環境の気温が降下することを防いで患者の呼吸道の温度を継続的に保つ過敏性呼吸道疾病の防止方法を提供する。又、マスク本体と内部マスクを含み、マスク本体と内部マスクとの間に一定の間隔があり、空気がマスク本体の通気用穴部から入る口鼻マスクを提供する。マスク本体と内部マスクとの間の間隔から入る空気がマスク内部の周囲からマスク内部に入るので、冷たい空気が直接に呼吸道を刺激することを防ぐことができる。且つ、人が吐き出す空気の熱量が発散されることを防ぎ、吸入する空気を少し加熱するので、人の呼吸道の温度を保つことができる。
2012517305.tif 000002
【特許請求の範囲】
【請求項１】
環境の気温が降下することを防いで、患者の呼吸道の温度を継続的に保つことを特徴とする過敏性呼吸道疾病の防止方法。
【請求項２】
人が吐き出す気体の熱量で次に吸入する空気を加熱し、且つ上述するステップを繰り返すことを特徴とする請求項１の過敏性呼吸道疾病の防止方法。
【請求項３】
マスク本体（１）と内部マスク（７）を含み、マスク本体（１）と内部マスク（７）との間に一定の間隔があり、マスク本体（１）の中心区域に通気用穴部（４）が形成され、内部マスク（７）の下部の辺縁部と使用者の顔との間に一定の間隔があるので、空気が順調に通過することができることを特徴とする請求項１の過敏性呼吸道疾病の防止方法を実現するための口鼻マスク。
【請求項４】
前記マスク本体（１）の底部の辺縁に医学用ゴムワッシャー（６）が形成されていることを特徴とする請求項３の記載の口鼻マスク。
【請求項５】
前記マスク本体（１）に補助型通気用穴部（５）が形成されていることを特徴とする請求項３の記載の口鼻マスク。
【請求項６】
前記マスク本体（１）に固定用糸（３）が形成されていることを特徴とする請求項３の記載の口鼻マスク。
【発明の詳細な説明】
【技術分野】
【０００１】
本発明は、過敏性呼吸道疾病の防止方法及びその方法を実現する口鼻マスクに関する。特に、医療分野の疾病防止の領域で、過敏性喘息、過敏性鼻炎などのような呼吸道疾病を予防、治療し、普通の風邪も予防、治療する口鼻マスクに関する。
【背景技術】
【０００２】
過敏性呼吸道疾病は発病率が高く、人々の健康にいろいろな影響を与えている。特に、過敏性喘息、過敏性鼻炎などのような呼吸道疾病は、人々の健康と生活により大きい影響を与えている。４つの難治性疾病の一種と言われる喘息は、治りにくいので、患者に大きな苦痛を与えている。病状が重い患者が急性発作によって死亡する場合もある。現在、上述する病気を治す主な方法は、薬物による治療である。例えば、患者がステロイド（steroids）類薬物或いはテオフィリン（Theophylline）類薬物を飲んで、患者の呼吸通路の平滑筋（smooth muscle）を緩めさせて、呼吸通路が順調になるようにする。しかし、薬物による治療に一定な局限性があり、例えば、薬物による副作用である。上述する薬物を長時間飲むと、薬抵抗性により薬物の治療効果が悪くなるか或いは無効になる。病気が急性に発作する時薬物の効果がよくないと、患者に苦痛を与えるだけでなく患者の命を威嚇する可能性もある。現在、喘息などのような過敏性呼吸道の疾病に対する確実な認識或いは治療方法がないので、上述する疾病を徹底に治すことができない。従って、喘息という疾病を発病の原因を解りにくく、徹底に治しにくい疾病になっている。毎年、世界中で数十万の患者が喘息によって命を取られている。
【発明の概要】
【発明が解決しようとする課題】
【０００３】
現在、医学領域で喘息の原因を以下のように理解している。喘息の発病原因が複雑であり、主な発病の原因は、過敏性刺激、病毒細菌観感染、空気汚染、天気変化（温度、湿度、気圧の変化）、薬物過敏、運動、精神及び気持ちなどがある。主な治療方法として、ステロイド類薬物を飲んで呼吸道が詰まることを防ぐ方法を使い、且つ長時間薬物を飲んで喘息を防ぐ方法、局部を加熱する理学療法を使う。しかし、現在の医学知識で喘息が発作する原因を明確に解釈することができなく、気温の変化と（特に気温の下降）と喘息との間の関係（ほかの発作原因を副次的原因にすることができる）も明確に解釈することができないので、呼吸道の温度を維持することがそんな病気を治す有効的な方法であることを理解することができない。上述する医学理論と治療技術の局限性を解決するために本発明の発明者が長時間の実験をし、呼吸道の温度を維持することが喘息などのような過敏性呼吸道疾病を治す有効的な方法であることを証明し、このような疾病に関する新観点を提出している。
【０００４】
喘息が発作する原因は、環境の気温が急降下による過敏性体質を有する人の呼吸道（通常高反応性を有する）に過敏性源、細菌微生物、運動、気持ちの変化などのような刺激によって病変現象が起きるためである。即ち、気管支の粘膜が水腫して呼吸道が詰まり、呼吸が難くなることである。過敏性鼻炎が発作する原因も環境の気温が急降下による過敏性体質を有する人の鼻部の粘膜に病変現象が起きるためである。即ち、鼻部の粘膜が水腫して鼻部が詰まることである。
【０００５】
周知のように、環境の気温が急降下する時に人体の免疫力が下がるので、病気が侵入しやすい。非過敏性体質を有する人は、周囲の気温が急降下する時に風邪を引きやすいが、喘息などのような過敏性疾病は発病しにくい。これは、非過敏性体質を有する人の呼吸道に高反応性がなく、天気変化する時の過敏性源の刺激によって呼吸道に病変現象が起きにくいためである。
【０００６】
喘息が発作する重要で、必要な条件は周囲の気温が急降下することであり、副次的条件は過敏性源、例えばヤケヒョウヒダニ、微生物、気持ちの変化などである。現在の医学理論は上述する２つの条件の作用が同じであると見なしている。即ち、喘息が発作する原因になる過敏性源、細菌、運動、精神などがある環境で、周囲の温度が継続的に下がらないと、過敏性体質を有する人にも喘息が現れない。
【０００７】
気温が急降下することは、一定の時間内で気温が継続的に下がり、且つ一定の時間内で降下する傾斜率が０より大きいことである。こんな環境で患者が発病しやすい。毎日の気温の変化を示す曲線において、Ｔ（温度）曲線が降下する部分の時間は理論的に喘息を容易に発作させる時間である。温度が降下する速度が速く、且つ降下する時間が長ければ長いほど、喘息がさらに発作しやすい。上述する内容から、喘息が秋、冬、春の夜あるいは夜明け方に容易に発作し、細菌微生物、ダニなどが多い夏にほとんど発作しないことを容易に解釈することができる。
【０００８】
従って、喘息などのような過敏性呼吸道疾病の治療するために、周囲の気温の急降下を避ける方法を、過敏性呼吸道疾病を治療する唯一の目標にすることができる。
【課題を解決するための手段】
【０００９】
上述する理論に基づいて、本発明者が提案する過敏性呼吸道疾病の治療方法は、周囲の温度が急降下することを避けること、或いは継続的に患者の呼吸道に対して、温度を保つことである。即ち、気温が降下して患者の呼吸道に影響を与えることを避けて病気が発作することを防ぐことである。気温が降下することを避けて喘息が発作することを防ぐか或いは発病状態から健康状態へ回復させることができる。生活する環境の温度を変えられない場合、湿暖空気を使って呼吸道の温度を保つことができる。時間とスペースの制限を受けないようにして、温度が下がるとすぐ使え、温度が降下する時間が長いと使い時間を長くし、温度が降下する時間が短いと使い時間を短くする。且つ発作するとすぐ使え、病気が重いと使う時間を長くし、病気が軽いと使う時間を短くする。患者の呼吸道の温度を保って、過敏性体質を有する人の呼吸道に異常現象が現れることを防ぎ、呼吸道の免疫力を向上させることができる。且つ、呼吸道の繊毛の運動を向上させ、喀痰を促進し、細菌と過敏性微生物を殺すように患者の免疫力を向上させ、呼吸を順調にすることができる。従って、薬物を飲まなくても患者の健康を保つことができる。
【００１０】
上述する方法で人の呼吸道の温度を保つために、本発明で以下の特徴を有する口鼻マスクを提供する。人が吐き出す気体が人体に無害で熱量があるので、吐き出す気体の熱量で次に吸入する空気を加熱することができる。上述するステップが繰り返すと、使用者が吸入する空気の温度を２４〜３０℃に保つことができる。本発明の口鼻マスクは二層口鼻マスクである。口鼻マスクの形状と体積を各々の使用者の顔の形状に合うように形成して、使用者が楽に使えるようにすることができる。使用者の顔とマスク本体との間に約２００ｍｌの気体のスペースが形成されている。マスク本体の通気用穴部を通って入る空気は、内層と外層との間の隙間を通ってマスクの内部に入る。吐き出す空気は同じな路線に沿ってマスク外部に排出される。本発明の口鼻マスクを掛けると、冷たい空気が直接に患者の呼吸道を刺激することを防ぎ、人が吐き出す気体の熱量で吸入する冷たい空気を加熱することができる。以下の図面は上述する口鼻マスクを示す図である。
【図面の簡単な説明】
【００１１】
【図１】図１は本発明の口鼻マスクを示す表面図である。
【図２】図２は本発明の口鼻マスクを示す側面図である。
【発明を実施するための形態】
【００１２】
呼吸道の温度を保つことは、様々な方法がある。以下、常用の方法を具体的に説明する。
【００１３】
１．熱い蒸気の発生器を使うこと。熱い蒸気の温度を３０℃左右にして、患者さんが温かい蒸気を継続的に吸入するようにする。前記蒸気を約１〜２時間吸入する（継続的に吸入しなければならない）と、喘息などのような症状が緩むか正常状態に戻ることができる。病気が突然に発作し且つ病状が重い急性発作の場合は、呼吸が難しくなるので、蒸気の吸入する時間を長くし、正常状態に戻るまで蒸気を吸入しなければならない。病気が回復する後に環境の気温が突然下がる場合は、熱い蒸気による治療を続け、天気が安定になるまで熱い蒸気を吸入しなければならない。
【００１４】
２．睡眠時無呼吸症候群を治す呼吸器を使うこと。まず前記呼吸器の輸出する気体の温度を３０℃左右にする。前記呼吸器が輸出する気体を高圧或いは低圧にする必要がないが、持久で安定な湿暖空気を提供するようにしなければならない。気圧は大気圧とほぼ同じにするか或いは大気圧より少し高くする。患者さんが前記呼吸器を約１〜２時間継続的に使う（継続的に使わなければならない）と、喘息などのような症状が緩むか或いは正常状態に戻ることができる。病気が突然に発作し且つ病状が重い急性発作の患者は、呼吸しにくいので、正常状態に戻るまで前記呼吸器を継続的に使わなければならない。病気が回復する後に気温が突然下がる場合は、天気が安定になるまで前記呼吸器を継続的に使わなければならない。
【００１５】
３．病院に湿暖空気発生室を設けること。病院で高圧酸素室（hyperbaric oxygen chamber）を使って低酸素症を治すことのように、前記湿暖空気発生室の内に湿暖で新鮮な空気を注入し、湿暖空気発生室の内の温度を３０℃左右にする。喘息の発作する患者が前記湿暖空気発生室の内部に入って長時間座っているか或いは横になっていると、湿暖で新鮮な空気を吸入することができるので、呼吸道の免疫力を向上させて細菌を殺し、繊毛の運動を向上させて喀痰を促進し、呼吸を順調にすることができる。患者の病症が重い場合、前記湿暖空気発生室の温度をすこし高くすることができる、例えば３５℃にすることができる。
【００１６】
４．本発明の口鼻マスクを使うこと。以下、本発明の口鼻マスクに対して説明する。マスク本体１の中心区域に通気用穴部４が形成されている。前記通気用穴部４の形状とサイズは各々の使用者の呼吸量に従って形成する、通常直径が２〜３ｃｍである円形穴部にする。前記口鼻マスクに３個ほどの補助型通気用穴部５（直径が２ｍｍほどである小型円形穴部）をさらに形成することができる。前記マスク本体１の外部に係合部２が形成されている。前記係合部２には口鼻マスクを使用者の頭部に掛けるための固定用糸３が繋がられている。内部マスク７の形状とマスク本体１の形状がほぼ同じである。前記内部マスク７の下部の辺縁部と使用者の顔との間に一定の間隔があるので、空気が順調に通過することができる。内部マスク７とマスク本体１との間に連結部８が形成されている。使用者の頭部と接触するマスク本体１の周囲に医学用ゴムワッシャー６が形成されているので、使用者が口鼻マスクを楽に掛けることができる。
【００１７】
前記口鼻マスクを使う場合、外部空気が通気用穴部を通過する後マスク内部の周囲からマスク内部に入り、使用者が吐き出す気体と熱量はマスク内部の周囲からマスク外部に排出される。従って、冷たい空気が直接に呼吸道を刺激することを防ぎ、且つ使用者が吐き出す気体の熱量が発散されることを防ぐことができるので、マスク使用者が吸入する空気の温度を２４〜３０℃に維持することができる。
【００１８】
前記マスク本体と内部マスクが医用ハードプラスチックから形成され、一定の厚さを有するので、長時間使っても変形しにくい。前記口鼻マスクの内部で直接に吐き出す気体と接触する部分の表面を有効な保温材料で形成して、吐き出す気体の熱量を保つことができる。熱量を保つ効果を向上させるために、内部マスクの内部に交流或いは直流の電源で電気を提供する加熱用ワイヤを設けることもできる。
【００１９】
二酸化炭素の濃度が高いことに苦しむマスクの使用者に対して、内部マスクの内側に薄肉状過酸化ナトリウム接着剤を設置することができる。前記薄肉状過酸化ナトリウム接着剤は、原料層と接着層と不織布袋から構成されている。即ち、５０ｇの過酸化ナトリウムにバーミキュライトなどを少し入れる混合物を、漏れなく且つ透気性がよい不織布袋に入れて原料層を形成する。前記原料層の裏面には、原料層をマスク本体の内部に接着させるための接着層が形成されている。前記過酸化ナトリウムは人が吐き出す二酸化炭素を吸収して熱量と酸素を排出する。前記バーミキュライトは保温の作用を起こす。上述する構造によって二酸化炭素の濃度が高くなることを防ぎ、気体の温度を上げるだけでなく、酸素も提供することができる。薄肉状過酸化ナトリウム接着剤の内の乾燥な水酸化ナトリウムは、吐き出す二酸化炭素と水蒸気を吸収することができる。
【００２０】
本発明の口鼻マスクに口鼻マスクの内の気体の温度を検出する温度計をさらに設けることができる。
【００２１】
本発明の口鼻マスクは、薬物が人体に与える副作用と薬物治療の局限性を避けることができる。安全で有効であり、的中性が強く、人体に与える副作用がなく、喘息による病人の死亡率を減少させるか或いは無くすことができる。喘息などのような過敏性疾病が発作するもっとも重要な原因を明らかにしたので、そんな病気に対する人たちの畏怖を避けることができる。
【符号の説明】
【００２２】
１  マスク本体
２  係合部
３  固定用糸
４  通気用穴部
５  補助型通気用穴部
６  医学用ゴムワッシャー
７  内部マスク
８  連結部
９  皮膚接触面
【図１】
2012517305.tif 000003
【図２】
2012517305.tif 000004
【国際調査報告】
2012517305.tif 000005
2012517305.tif 000006
2012517305.tif 000007
2012517305.tif 000008
2012517305.tif 000009
2012517305.tif 000010
2012517305.tif 000011
2012517305.tif 000012
2012517305.tif 000013